(57)【要約】  本発明は、哺乳瓶装置（１００）用の仕切り要素（２１０）に関し、哺乳瓶装置（１００）は、乳首容積（１１５）を画定する乳首要素（１１０）と、容器容積（１２５）を画定する容器要素（１２０）とを含み、乳首要素（１１０）は、取り付け要素（１３０）によって容器要素（１２０）に取り付け可能である。仕切り要素（２１０）は、容器容積（１２５）から乳首容積（１１５）への流体の通過を可能にする第１通路（２１２）と、乳首容積（１１５）から容器容積（１２５）への流体の通過を可能にする第２通路（２１４）とを含み、第２通路（２１４）は、一方向通路の形態で提供される。本発明は、さらに、対応する哺乳瓶装置（１００）及び授乳方法に関する。本発明による解決策によって、乳児に対する疝痛様症状のリスクが低下する。
2020508800.tif 000002
【特許請求の範囲】
【請求項１】
哺乳瓶装置用の仕切り要素であって、前記哺乳瓶装置は、乳首容積を画定する乳首要素と、容器容積を画定する容器要素とを含み、前記乳首要素は、取り付け要素によって前記容器要素に取り付け可能であり、前記仕切り要素は、前記哺乳瓶装置が組み立てられている場合に、前記乳首容積を前記容器容積から分離するように構成され、前記仕切り要素は、前記容器容積から前記乳首容積への流体の通過を可能にする第１通路と、前記乳首容積から前記容器容積への流体の通過を可能にする第２通路とを含み、前記第２通路は、一方向通路の形態で提供され、前記第１通路及び前記第２通路は、前記仕切り要素に統合される、仕切り要素。
【請求項２】
前記哺乳瓶装置が組み立てられた場合に視覚的に目立つように構成される向きインジケータをさらに含む、請求項１に記載の仕切り要素。
【請求項３】
前記第１通路及び前記第２通路は、それぞれ前記向きインジケータから異なる距離にて配置されている、請求項２に記載の仕切り要素。
【請求項４】
前記第２通路は、前記第１通路よりも前記向きインジケータの近くに配置されている、請求項３に記載の仕切り要素。
【請求項５】
前記第１通路及び前記第２通路のうち少なくとも１つが、１０ｍｂａｒ以下の開放圧力を示す弁を含む、請求項１に記載の仕切り要素。
【請求項６】
前記第１通路及び前記第２通路のうち少なくとも１つが、フラップ弁又はダックビル弁を含む、請求項１に記載の仕切り要素。
【請求項７】
前記第１通路は、開口部として形成されている、請求項１に記載の仕切り要素。
【請求項８】
前記第１通路は、楕円形状を有する開口部として形成されている、請求項７に記載の仕切り要素。
【請求項９】
前記仕切り要素と、前記乳首要素及び前記容器要素の少なくとも１つとの間にシーリング界面を形成するためのシーリング材をさらに含む、請求項１に記載の仕切り要素。
【請求項１０】
前記仕切り要素を前記容器要素の開口に誘導するための誘導要素をさらに含む、請求項１に記載の仕切り要素。
【請求項１１】
前記第１通路は、前記仕切り要素の中心面から前記乳首容積内に突出するように配置され、及び／又は、前記第２通路は、前記仕切り要素の中心面から前記容器容積内に突出するように配置されている、請求項１に記載の仕切り要素。
【請求項１２】
−  乳首容積を画定する乳首要素と、
−  容器容積を画定する容器要素と、
−  請求項１乃至１０のいずれか一項に記載の仕切り要素と、
−  取り付け要素と、
を含む哺乳瓶装置であって、前記乳首要素、前記容器要素、及び前記仕切り要素は、前記取り付け要素によって接触領域に沿って互いに取り付け可能である、哺乳瓶装置。
【請求項１３】
前記哺乳瓶装置の外側から前記乳首容積又は前記容器容積内への空気の通過を可能にする少なくとも１つの空気抜き弁と、前記容器容積内の閉鎖容積を画定する閉鎖容積形成要素であり、前記閉鎖容積は、制御された開口部を前記容器容積内に提供する、閉鎖容積形成要素と、前記少なくとも１つの空気抜き弁から前記閉鎖容積までの誘導ダクトを形成するダクト形成要素とをさらに含む、請求項１１に記載の哺乳瓶装置。
【請求項１４】
前記閉鎖容積形成要素及び前記ダクト形成要素は、前記哺乳瓶装置が組み立てられている場合に、前記乳首容積を前記容器容積から分割するための前記仕切り要素に統合されている、請求項１３に記載の哺乳瓶装置。
【請求項１５】
乳児に授乳を行うための授乳方法であって、
−  請求項１２に記載の哺乳瓶装置を、前記哺乳瓶装置の容器要素内に液体を有して組み立てるステップと、
−  前記哺乳瓶装置を水平軸に対して４５度未満の向きに維持した状態で前記乳児に授乳を行うステップと、
を含む授乳方法。
【発明の詳細な説明】
【技術分野】
【０００１】
本発明は、哺乳瓶装置用の仕切り要素、及び、仕切り要素を含む哺乳瓶装置に関する。本発明は、特に、乳児に授乳を行うための哺乳瓶装置用の仕切り要素に関する。本発明は、疝痛様症状の可能性を減らす分野に応用され、本発明は他の分野にも適用される。
【背景技術】
【０００２】
疝痛は、一部の乳児が出生後数カ月の間に被る状態であり、消化器系における空気の存在が主な原因であるとして示されている。授乳中の乳児の口内における真空状態の存在のため、母乳育児においても人工乳育児においても空気の摂取は避けられない。しかし、疝痛様症状を防ぐ又は軽減するために、乳児によって摂取される空気の量を減らすことが望ましい。
【０００３】
授乳中の空気の摂取を最小限にするために、例えば哺乳瓶内にベント弁を設けることを介して真空状態を減らすことによって等、乳児が必要とする労力を減らすことを含む、様々な戦略が使用されている。しかし、空気はそれにもかかわらず、哺乳瓶内の液体レベルが特定のレベルを下回る場合、及び／又は、哺乳瓶が水平位置で乳児に提供される、すなわち、乳首領域の周囲の容積が、その後、液体によって部分的にのみ満たされる場合に、哺乳瓶装置の乳首領域に入る恐れがある。
【０００４】
特許文献１は、フィーダーが作動位置で保持される場合に授乳装置の底からミルクを吸い出すための可撓性の授乳用の乳首及び容器を含む授乳装置を開示している。主な容器チャンバから可撓性の授乳用の乳首への液体供給の通過を可能にする流量制限器が、適した位置に置かれている。流量制限器は、乳児が乳首を吸引することから誘発された真空状態により、液体が、主な容器チャンバから乳首内に吸い出されるということを可能にする。流量制限器の適した位置のため、乳首の充填レベルは、後の授乳段階、すなわち、授乳装置内の液体の量が少なくなったときでさえも、高く維持され得る。
【０００５】
しかし、既知の授乳装置は、例えば乳児がラッチを解放するときに乳首の孔を通って乳首容積に入った空気、及び、流量制限器を介して吸い出される液体中に存在する気泡の形態で乳首容積に入った空気等、乳首容積内に空気が存在するリスクを依然として抱えている。さらに、ユーザは哺乳前に乳首の一部を手動で押して乳首を満たし、授乳後に流し出さなくてはならず、これは、ユーザにとって不便であり、乳首内に空気が残るリスクを抱えている。しかし、この空気は最終的には乳児によって摂取され、望ましくない、おそらく健康を脅かす疝痛様症状を引き起こす恐れがある。
【０００６】
特許文献２は、弁装置を有するベビーミルクボトルを開示しており、弁板における通路の閉鎖が、マッシュルーム形状のゴム弁体によってもたらされることを特徴としている。
【０００７】
特許文献３は、ボトルネックを含み、ブリーザ弁がボトルネックの上方の乳首を覆い且つ自動ボトルキャップに配置された、正のサックバックの膨張防止ミルクボトルを開示している。正のサックバックの膨張防止ミルクボトルは、上向き又は逆向きであっても、乳首上の逆止弁、乳首を介して共同で形成される通路、及び自動ボトルキャップによって外気が入ることを可能にしている。
【先行技術文献】
【特許文献】
【０００８】
【特許文献１】ＥＰ２７９９０５８Ａ１
【特許文献２】ＤＥ  ５０７  ８３６
【特許文献３】ＣＮ  ２０４  １７０  １１５  Ｕ
【発明の概要】
【発明が解決しようとする課題】
【０００９】
従って、哺乳瓶装置を使用して授乳しながら、乳児に対する疝痛様症状のリスクを減らすことが本発明の目的である。
【課題を解決するための手段】
【００１０】
第１の態様において、哺乳瓶装置用の仕切り要素が提供される。哺乳瓶装置は、乳首容積を画定する乳首要素と、容器容積を画定する容器要素とを含み、乳首要素は、取り付け要素によって容器要素に取り付け可能である。仕切り要素は、哺乳瓶装置が組み立てられている場合に、乳首容積を容器容積から分離するように構成される。仕切り要素は、容器容積から乳首容積への流体の通過を可能にする第１通路と、乳首容積から容器容積への流体の通過を可能にする第２通路とを含み、第２通路は、一方向通路の形態で提供される。第１通路及び第２通路は、仕切り要素に統合される。
【００１１】
仕切り要素は、２つの反対方向に向けられた通路、すなわち、第１通路及び第２通路を含むため、容器容積からの液体は、第１通路を介して乳首容積をいっぱいに満たすことができ、乳首容積内におそらく存在する空気は、例えば第２通路を介して容器容積内に逃げることができる。その結果、乳首容積内の空気の量、従って、乳児によって摂取され得る空気の量が減少し、乳児に対する疝痛様症状のリスクが低下する。
【００１２】
第２通路は一方向通路の形態で提供されるため、第２通路を通る容器容積から乳首容積への流体の通過は可能ではない。加えて、第１通路も、任意的に、容器容積から乳首容積への流体の通過のみを可能にする一方向通路の形態で提供することができる。
【００１３】
さらに、第１通路及び第２通路は仕切り要素に統合されているため、反対方向に向けられた通路を提供するために、追加の部品又は要素が仕切り要素と共に組み立てられることはない。従って、特に洗浄が、要素の数の減少により容易になる。
【００１４】
仕切り要素、及び／又は、第１通路及び第２通路は、優先的に、この実施形態においてプラスチック材料を含むが、他の適した材料も、他の実施形態において使用することができる。
【００１５】
乳首要素、取り付け要素、及び容器要素は、好ましくは、先行技術の哺乳瓶装置に関連して既知の類似の要素に相当する。例えば、取り付け要素は、乳首要素を容器要素に取り付けるためのスクリューリングを含み得る。
【００１６】
一実施形態では、仕切り要素は、哺乳瓶装置が組み立てられた場合に、視覚的に目立つように構成される向きインジケータ（ｏｒｉｅｎｔａｔｉｏｎ  ｉｎｄｉｃａｔｏｒ）をさらに含む。哺乳瓶装置が作動位置又は授乳位置にある場合に上側に置かれることが好ましい向きインジケータを使用して、仕切り要素の向き、従って、直接第１通路及び第２通路の向きが既知である。その結果、哺乳瓶装置及び仕切り要素の円滑な動作を確実にすることができる。他の実施形態では、向きインジケータは、追加的又は代替的に、振動等を介して、間違って置かれた場合にビープ音によって等、音響的に目立つものとすることができる。哺乳瓶装置の上側の位置が、向きインジケータに対して例証的に記載されているけれども、哺乳瓶装置の側面又は下側の位置等、代替的又は追加的な位置も熟考される。同様に、異なる位置にある複数の指標インジケータを提供することができる。また、向きインジケータは、優先的に、部品の数が減少するように、仕切り要素に統合される。これは、哺乳瓶装置の洗浄及び組み立ての態様をさらに容易にする。
【００１７】
哺乳瓶装置の授乳位置では、哺乳瓶装置は、乳首要素が静止位置のように上を向いて直立させられるのではなく、乳首要素が水平方向に対して典型的には１０から４５度の角度で下を向いているように傾斜させられる。好ましくは、仕切り要素の平面は、哺乳瓶装置が組み立てられた状態にある場合に、乳首要素の向きに対して実質的に垂直である。これは、水平方向に対して下向きに４５度を超える傾斜を有するように、すなわち、下側を向くより垂直の向きに通常置かれなければならない先行技術の哺乳瓶装置と比較して有利である。哺乳瓶装置のより垂直の向きは、哺乳瓶装置で授乳しながら乳児の位置が不自然でより水平になるため好ましくない。
【００１８】
一実施形態では、第１通路及び第２通路は、それぞれ向きインジケータから異なる距離にて配置される。向きインジケータからの距離が異なると、哺乳瓶装置が授乳位置で保持されている場合に、容器容積内の液体レベルに対して弁の位置は異なる。より下側に第１通路が置かれるほど、哺乳瓶装置の授乳位置を水平方向に対してより近くに向けることができ、第１通路は、容器容積内の液体レベルより下にとどまる。その結果、容器容積が部分的にのみ満たされる授乳の後の段階においてさえも、仕切り要素が、液体で満たされた乳首容積を維持するということを確実にすることができる。より水平の向きが、母乳育児の自然な授乳位置により厳密に相当し、授乳中に乳児をより垂直の向きに維持することができ、空気摂取、従って疝痛様症状のリスクをさらに低下させるため、好ましい。
【００１９】
一実施形態では、第２通路は、第１通路よりも向きインジケータの近くに配置される。第２通路は、向きインジケータのより近くに配置され、哺乳瓶装置が授乳位置にある場合に上側に置かれることが好ましいため、第２通路は、特に後の授乳段階において、授乳位置が水平の向き対して好ましいほど近くに相当する場合に、容器容積内の液体のレベルよりも上に置かれることになる。空気が第２通路を通って液体レベルより上の容器容積に入る場合、容器容積内の気泡の形成は回避される。容器容積内で形成される気泡は、乳首容積内に再び移動する恐れがあり、最終的に乳児の口内に行き着く恐れがある。この実施形態では、すでに気泡の形成は回避されているため、空気摂取のリスクはさらに低減される。
【００２０】
一実施形態では、第１通路及び第２通路のうち少なくとも１つが、１０ｍｂａｒ以下の開放圧力を示す弁を含む。言い換えると、少なくとも１つの弁は、従って、ほぼ名目上開いている。好ましくは、第１通路及び第２通路のいずれも、弁、特に一方向弁を含み、これは、名目上開いている、すなわち、開放圧力を必要としないか又は非常に小さい開放圧力を必要とする。従って、容器容積から第１通路の弁を通して液体を乳首容積に引き込ませるために乳首容積に必要とされる真空は非常に低い。乳児からのさらなる労力、すなわち、必要とされるより高い真空によって、空気摂取のリスクは高くなり、すでに述べた望ましくない労力が生じることになる。第１通路の容器容積側から作用する液柱が授乳位置において乳首容積への通過を支持することで、乳首容積は液体で満たされたままである。さらに、乳首容積を満たす液体は、乳首容積内におそらく存在する空気を、容器容積内へと第２通路を押し通し、これもまた、第２通路の弁の低い開放圧力によって支持される。さらに好ましくは、第１通路及び第２通路の少なくとも１つの弁、好ましくは第２通路の弁又は両方の通路の弁の閉鎖圧力も非常に低い。
【００２１】
一実施形態では、第１通路及び第２通路のうち少なくとも１つは、フラップ弁又はダックビル弁を含む。フラップ弁及びダックビル弁は、適した一方向弁の既知の例であり、特に、低い開放圧力及び低い閉鎖圧力の要求に応じている。しかし、他の実施形態では、一方向弁の他の形態も、当然ながら使用することができる。
【００２２】
一実施形態では、第１通路は、開口部として形成される。１つの方向において通路を封鎖することが第２通路に対する要求であるけれども、第１通路は、流体の二方向通過を可能にし得る。開口部は、当然ながら、適した通路の単なる一例に過ぎず、他の通路が熟考される。
【００２３】
一実施形態では、第１通路は、楕円形状を有する開口部を含む。有利には、開口部の好ましくは上面の楕円形状が、回転位置決めにおけるユーザーエラーを考慮にいれ、仕切り要素のより広い範囲の回転位置において、乳首が、可能な限り長時間満たされたままでいることを可能にする。
【００２４】
一実施形態では、第１通路は、開口部として形成され、第２通路は、ダックビル弁を含む。ダックビル弁は、可動部品に依存することなく、仕切り要素と一体的に形成することができる。好ましくは、仕切り要素は、それぞれ異なる材料特性を有する２つのポリマー材料を含み、仕切り要素の主要部分の材料は、従って、ダックビル弁の材料とは異なり得る。そのような仕切り要素は、例えば、２Ｋ又は２ショット射出成形プロセスを使用して製造されることがさらに好ましい。
【００２５】
一実施形態では、仕切り要素は、仕切り要素と、乳首要素及び容器要素のうち少なくとも１つとの間にシーリング界面を形成するためのシーリング材をさらに含む。仕切り要素は、好ましくは、容器要素の開口部と乳首要素との間で適合するため、仕切り要素は、容器要素に対しても乳首要素に対しても界面を提供する。可撓性であることが好ましい乳首要素、及び、比較的可撓性が低い容器要素は、従って、それとのシーリング界面を提供するために異なる材料要求を有することになる。好ましくは、シーリング材は、仕切り要素の主要材料よりも可撓性であり、容器要素との接触領域において提供される。さらに好ましくは、シーリング材は、製造中に仕切り要素に統合される。
【００２６】
一実施形態では、仕切り要素は、仕切り要素を容器要素の開口部に誘導するための誘導要素をさらに含む。その結果、哺乳瓶装置の組み立てが容易になる。さらに、誘導要素は、容器要素の壁に押し付けられた向きインジケータ等、仕切り要素の他の要素のバネ力に対する抵抗を提供することができ、仕切り要素のより長い耐久性及び寿命を可能にし得る。
【００２７】
別の実施形態では、第１通路は第１のフラップ弁を含み、第２通路は第２のフラップ弁を含み、第１のフラップ弁及び第２のフラップ弁は互いに平行なヒンジ軸を有し、第１のフラップ弁のフラップは、第２のフラップ弁のフラップから見て外方に向けられる。好ましくは、ヒンジ軸は、仕切り要素の中央領域において互いに近接して配置され、それぞれのフラップは、ヒンジ軸から仕切り要素の上側及び下側に向かって延びる。その結果、仕切り要素の上側が、向きインジケータの位置に対応する場合に、第１のフラップ弁は、仕切り要素の下側に近接して優先的に開くことができ、第２のフラップ弁は、仕切り要素の上側に近接して開くことができる。
【００２８】
一実施形態では、第１のフラップ弁及び第２のフラップ弁のうち少なくとも１つが弓形形状のものであり、弓形の弦がそれぞれのフラップ弁のヒンジ軸に対応する。優先的に、仕切り要素は円形のものであり、その結果、弓形形状が、仕切り要素の形状と一致し、これが、仕切り要素上の弁の位置決めを容易にする。さらに好ましくは、第１の弁及び第２の弁の弓形形状の中心が、仕切り要素の中心に対応し、他の実施形態では、互いに異なる中心を提供することができる。しかし、他の実施形態では、長方形又は多角形の形状を含むフラップの他の形状も、当然ながら、熟考される。
【００２９】
一実施形態では、第１のフラップ弁も第２のフラップ弁も弓形形状のものであり、弓形形状の弧の合計は３６０度を超えない。合計は、優先的に、第１のフラップ弁のヒンジ軸と第２のフラップ弁のヒンジ軸間の距離に比例して３６０度未満になる。
【００３０】
一実施形態では、第１通路は、仕切り要素の中心面から乳首容積内に突出するように配置され、及び／又は、第２通路は、仕切り要素の中心面から容器容積内に突出するように配置される。中心面は、仕切り要素の中心を通る平面として定義され、これは、仕切り要素による容器容積からの乳首容積の分離を表している。一例において、中心面は、容器容積の開口に対して実質的に垂直な平面に相当してもよく、例えば仕切り要素が組み立てられた状態で傾いている場合等、他の例において、中心面は、当然ながら、容器容積の開口に対して傾けることもできる。
【００３１】
その結果、それぞれの通路の配置が容易になる。フラップ弁の好ましい実施形態の１つにおいて、突出は、仕切り要素におけるそれぞれの開口にわたって提供されているフラップ弁のフラップによって形成することができ、すなわち、フラップは、仕切り要素の表面の反対側に直接提供される。仕切り要素及びフラップの表面に垂直な壁が提供されることがさらに好ましく、この壁は、それぞれ反対方向において仕切り要素から突出し、第１及び第２のフラップ弁をそれぞれ取り囲む。この壁は、閉じた位置又は遮断位置においてフラップ弁のそれぞれのフラップに対する支持体として有利に役に立つ。
【００３２】
さらなる態様では、哺乳瓶装置が提供される。哺乳瓶装置は、乳首容積を画定する乳首要素と、容器容積を画定する容器要素と、本発明の一態様による仕切り要素と、取り付け要素とを含み、乳首要素、容器要素、及び仕切り要素は、取り付け要素によって接触領域に沿って互いに取り付け可能である。
【００３３】
この態様による哺乳瓶装置は、上記の仕切り要素の実施形態のいずれかと組み合わせることができ、同様に、それに関連して記載された有利な効果を経験することになる。
【００３４】
乳首要素、取り付け要素、及び容器要素は、好ましくは、先行技術の哺乳瓶装置に関連して既知の類似の要素と一致する。例えば、取り付け要素は、乳首要素を容器要素に取り付けるためのスクリューリングを含み得る。他の実施形態では、例えば乳首要素及び取り付け要素等の少なくとも２つの要素を、１つの要素に統合させることもできる。そのような実施形態では、統合された要素は、好ましくは、異なる材料特性を有する２つの異なる材料を使用して射出成形を介して製造される。その結果、例えば、乳首は有利に可撓性を保つことができ、取り付け部分は、容器要素への確実な取り付けを保証するためにそれほど可撓性ではない。
【００３５】
一実施形態では、哺乳瓶装置は、哺乳瓶装置の外側から乳首容積又は容器容積内への空気の通過を可能にする少なくとも１つの空気抜き弁と、容器容積内の閉鎖容積を画定する閉鎖容積形成要素であり、閉鎖容積は、制御された開口部を容器容積内に提供する、閉鎖容積形成要素と、少なくとも１つの空気抜き弁から閉鎖容積までの誘導ダクトを形成するダクト形成要素とをさらに含む。
【００３６】
少なくとも１つの空気抜き弁は、乳児の授乳を介して容器容積から引き込まれた液体と交換するために、空気が乳首容積又は容器容積に入ることを可能にし、この空気は、乳首の開口を通って哺乳瓶装置内に入る必要はなく、すなわち、乳児が乳首を離さない間でさえも、空気が入り、真空が減ることを可能にする。しかし、空気抜き弁を通って入る空気は、液体レベル下で容器容積に入る可能性があり、従って、最終的に乳首に入り且つ乳児によって摂取され得る気泡が形成される。
【００３７】
ダクト形成要素は、少なくとも１つの空気抜き弁から閉鎖容積までの誘導ダクトを形成するため、及び、閉鎖容積が、制御された開口部を容器容積内へ提供するため、任意の位置にて空気抜き弁を通って入る空気は、環状の誘導ダクトを介して閉鎖容積まで誘導され、次に、制御された開口部を通って制御された様式でのみ容器容積に放出される。従って、空気抜き弁を通って入る空気は、好ましい位置、すなわち閉鎖容積まで誘導することができ、そこで、気泡の形成の機会は減少する。従って、あり得る気泡が回収され、閉鎖容積を介して容器容積とは分離された状態で保持される。
【００３８】
好ましくは、ダクト形成要素は、接触領域の周囲に環状の誘導ダクトを提供し、これは、その角度位置（ａｎｇｕｌａｒ  ｐｏｓｉｔｉｏｎ）にて少なくとも１つの空気抜き弁を含む。環状の誘導ダクトは、環状の位置、すなわち、空気抜き弁の回転位置とは関係なく、空気抜き弁にて入ってくる空気を収集するように構成されているため、哺乳瓶装置の組み立ては、少なくとも１つの空気抜き弁の位置が特定の位置又は向きに対応する必要はないため容易になる。
【００３９】
一実施形態では、少なくとも１つの空気抜き弁は、乳首要素、容器要素、取り付け要素、仕切り要素、及びこれらの要素のいずれか２つの界面のうち少なくとも１つに統合される。乳首要素及び容器要素は、接触領域に沿って取り付け可能であるため、接触領域又は接触領域に近接した領域は、哺乳瓶装置の外側からの空気が、哺乳瓶装置、特に容器容積に入るのを可能にする空気抜き弁を提供するための好ましい位置を提供する。さらに、取り付け要素は、乳首要素を容器要素に取り付けるために提供されるため、その中に統合された空気抜き弁も、好ましくは、哺乳瓶装置が組み立てられた状態にあるときには、接触領域に近接して提供されることになる。
【００４０】
空気抜き弁は、好ましくは、乳首要素、容器要素、取り付け要素、ダクト形成要素、及びこれらの要素のうちいずれか２つの界面のうち少なくとも１つに統合されるけれども、他の実施形態では、別の位置に及び／又は専用要素と共に提供することもできる。空気抜き弁は、逆止め弁等、空気の通過を可能にするマイクロホール構成を含む等、空気の通過を可能にするが液体の通過を防止するのに適したいかなる形態でも提供することができるということに留意されたい。
【００４１】
一実施形態では、閉鎖容積形成要素及びダクト形成要素は、哺乳瓶装置が組み立てられたときに乳首容積を容器容積から分割するための仕切り要素に統合される。その結果、組み立てられることになる部品の数を減らすことができ、従って、哺乳瓶装置の組み立てを容易にする。
【００４２】
一実施形態では、閉鎖容積形成要素は向きインジケータとして形成され、向きインジケータは、組み立てられた状態のときに哺乳瓶装置の外側から見える。好ましくは、向きインジケータは、向きインジケータの位置に対応する閉鎖容積も上方に配置されるように、授乳に使用される場合、哺乳瓶装置の上方に配置されるように意図されている。その結果、閉鎖容積は、すでに、授乳の非常に早い段階、すなわち、容器容積が依然としてかなり満たされている間に、液体レベルの上にあることになり、その結果、乳児に与えられることになる液体内の空気の量をさらに減少させる。
【００４３】
一実施形態では、閉鎖容積は、哺乳瓶装置の組み立てられた状態で、閉鎖容積形成要素及び容器容積の壁によって形成される。
【００４４】
閉鎖容積形成要素の形状は、容器容積の壁の形状に適合して、その間に閉鎖容積を形成するように設計することができる。例えば、閉鎖容積形成要素の形状は、Ｕ字形を含んでもよく、一方、Ｖ字形及び任意の他の適した形状が熟考される。洗浄及び消毒が容易になるため、Ｕ字形等の開放空間が好ましい。しかし、他の実施形態では、閉鎖容積は、閉鎖容積形成要素のみによって、又は、閉鎖容積形成要素がこの形成に関与するという条件で、異なる要素と組み合わせて形成することもできる。
【００４５】
一実施形態では、誘導ダクトは、哺乳瓶装置の組み立てられた状態で、仕切り要素のダクト形成要素と、乳首要素及び容器要素のうちの少なくとも１つとによって形成される。
【００４６】
例証的には、容器要素の開口、従って、一般的には環状の接触領域は、水平面内にあるように画定することができ、この中に、仕切り要素は置かれることになる。従って、容器要素の環状の壁は、例証的に実質的な垂直方向に延びることができる。既知の哺乳瓶装置では、乳首要素は、哺乳瓶装置の組み立てられた状態で、容器要素の壁の上縁に密封を形成し、乳首要素は、環状の接触領域の周囲に、垂直及び水平方向に少なくとも部分的に延びる。仕切り要素は、好ましくは乳首要素と容器要素の間に、典型的には乳首要素にも容器要素にも接触してこの環状の接触領域において提供され、乳首要素及び容器要素両方との界面を画定している。好ましくは、ダクト形成要素は、哺乳瓶装置の組み立てられた状態で、誘導ダクトが容器要素の垂直の壁と、乳首要素の水平部分と、ダクト形成要素との間に形成されるように配置される。これによって、ダクト形成要素のシンプルな設計が可能になり、同時に、乳首要素と容器要素との接触領域、すなわち、少なくとも１つの空気抜き弁の位置のための実現可能な領域が、空気抜き弁の環状又は回転位置とは関係なく、誘導ダクト内に含まれるのが確実になる。好ましくは、誘導ダクトは、接触領域の周囲全体にわたって延び、その結果、環状の誘導ダクトが提供される。
【００４７】
一実施形態では、哺乳瓶装置は、閉鎖容積からの液体が少なくとも１つの空気抜き弁に達するのを防止する通過防止要素をさらに含む。制御された開口部は、閉鎖容積から容器容積への流体の通過、すなわち、空気抜き弁を介して入る外気の通過を可能にするため、反対方向に流れる流体、すなわち、容器容積内のミルク又は液体が、空気抜き弁から漏れないことが保証されるべきである。好ましくは、通過防止要素は、仕切り要素に統合される。
【００４８】
通過防止要素の提供により、閉鎖容積及び／又は容器容積内から環状の誘導ダクト及び空気抜き弁を通って出る流体は妨げられ、すなわち、哺乳瓶装置が漏れる可能性は低くなる。さらに、通過防止要素が提供されているため、液体が空気抜き弁に達するのは防止され、従って、気泡の形成も全て一緒に排除することができる。
【００４９】
一実施形態では、通過防止要素は、環状の誘導ダクトと閉鎖容積との間に一方向弁として形成された第３通路を含む。代替案として、環状の誘導ダクトと閉鎖容積との接続として、開口又は孔を提供することができ、孔の直径は、好ましくは、例えばミルク等、容器容積内からの流体の通過よりも、密度の低い流体、すなわち外気の通過が好ましいように設定される。
【００５０】
一実施形態では、第２通路は、環状の誘導ダクト内に開口している。その結果、閉鎖容積及び制御された開口部を介して環状の誘導ダクトは容器容積に接続されているため、気泡の形成が発生する可能性はより低い。
【００５１】
さらなる態様では、乳児に授乳を行うための授乳方法が提供される。当該方法は、本発明による哺乳瓶装置を、哺乳瓶装置の容器要素において液体を有して組み立てるステップと、哺乳瓶装置を水平軸に対して４５度未満、好ましくは３０度未満、特に好ましくは１０から３０度の向きに維持した状態で乳児に授乳を行うステップとを含む。哺乳瓶装置の乳首要素内の乳首容積は、容器要素の容器容積から哺乳瓶装置の仕切り要素に含まれる第１通路を通る液体で満たされる。第１通路は、液体で満たされた乳首容積を維持しながら哺乳瓶装置のより水平な位置を可能にし、その結果、乳児の好ましいより垂直の授乳位置を可能にする。傾きは、当然ながら、授乳全体を通して維持される必要はないが、必要に応じて変化させることができる。
【００５２】
本発明の好ましい実施形態はまた、従属項又は上記の実施形態の、それぞれの独立項とのいかなる組み合わせであってもよいことを理解されたい。
【００５３】
本発明のこれら及び他の態様は、以下に記載される実施形態から明らかになり、さらに、以下に記載される実施形態を参照して解明される。
【図面の簡単な説明】
【００５４】
【図１】本発明による仕切り要素を含む哺乳瓶装置を概略的且つ例証的に示した図である。
【図２Ａ】仕切り要素に関して概略的且つ例証的に示した斜視図である。
【図２Ｂ】仕切り要素に関して概略的且つ例証的に示した斜視図である。
【図３】本発明による哺乳瓶装置を概略的且つ例証的に示した図である。
【図４】通過防止要素としてのリザーバのそりを概略的且つ例証的に示した図である。
【図５】仕切り要素を概略的且つ例証的に示した図である。
【図６Ａ】さらなる仕切り要素を分離して概略的且つ例証的に示した図である。
【図６Ｂ】哺乳瓶装置の組み立てられた状態で図６Ａの仕切り要素を概略的且つ例証的に示した図である。
【発明を実施するための形態】
【００５５】
図１は、断面図で、組み立てられた状態の哺乳瓶装置１００を概略的且つ例証的に例示している。哺乳瓶装置１００は、ロッキングリングの形態の取り付け要素１３０によって容器要素１２０に取り付けられた乳首要素１１０を含んでいる。通常、哺乳瓶装置１００、及び、より正確には、容器要素１２０内の容器容積１２５は、ミルクで満たされ、ミルクは、次に、乳首要素１１０から乳児に与えられる。この目的のために、図１において例示されている組み立てられた状態の哺乳瓶装置１００は、ミルク又は他の液体が乳首要素１１０内の乳首容積１１５に入ることを可能にする角度で維持されている。図１における位置は、哺乳瓶装置１００が、液体が乳首容積１１５に入るように、乳首要素１１０が特定の角度で下方に向くように傾いている作動位置に対応する。
【００５６】
乳首要素１１０と容器要素１２０との間の接触領域には、一方の側の乳首容積１１５ともう一方の側の容器容積１２５とを分離する仕切り要素２１０が提供されている。仕切り要素２１０は、容器容積１２５からの液体の通過を可能にする第１通路２１２、及び、乳首要素１１５から容器容積１２５への空気の通過を可能にする反対向きの第２通路２１４を含む。
【００５７】
液体が第１通路２１２を通って乳首容積１１５に入ることができ、乳首容積１１５は常に液体で本質的に満たされることになるように、第１通路２１２は、図１において例証的に例示されている哺乳瓶装置１００が作動又は授乳位置で維持される授乳セッションのほとんどの間、より低い位置、すなわち、液体レベルよりもかなり下の位置に配置される。
【００５８】
第１通路２１２の提供によって、哺乳瓶装置１００が、従来の哺乳瓶装置を用いて可能であるよりも水平の授乳位置で維持された場合でさえも、乳首容積１１５が液体で満たされることが可能である。哺乳瓶装置１００のより水平の位置は、好ましくは、水平方向に対して４５度未満ほど低い傾きの角度であり、乳児のより自然でより垂直な授乳位置、すなわち母乳育児中の授乳位置に相当し、従って、より傾いた授乳位置よりも好ましい。
【００５９】
通常、乳児の吸引作用により加えられる真空によって、液体が第１通路２１２を通って乳首容積１１５内に引き込まれるけれども、乳首要素１１０の開口を通って乳首容積１１５内に入る空気も、例えば、乳児がラッチを解放する場合等に生じることになる。この空気は、乳児によって摂取されるべきではなく、これは、第２通路２１４が提供される理由である。第２通路２１４を介して、空気を乳首容積１１５から容器容積１２５内へ逃がすことができる。第２通路２１４は、図１において例示されている作動位置において第１通路２１２に対してより高い位置にあるため、第２通路２１４が、空気が第２通路２１４を通って容器容積１２５内に入るときに気泡が形成されないように、容器容積１２５内の液体のレベルより上に配置される可能性はより高い。その結果、第１通路及び第２通路を提供することによって、空気が乳児によって摂取される可能性は低くなる。この例では、第１通路２１２も第２通路２１４もフラップ弁をそれぞれ含む一方向通路として提供され、ダックビル弁を含む他の弁を他の例で利用することができる。他の例では、第２通路２１４のみを、一方向通路として形成することができ、第１通路２１２は、いずれの方向における通過も可能にし得る。好ましくは、第１の弁２１２も第２の弁２１４も、この例において、例えば１０ｍｂａｒ未満の非常に低い開放圧力を有するか又は全く有さない、すなわち、名目上は開いており、さらに好ましくは、非常に低い閉鎖圧力も有している。
【００６０】
哺乳瓶装置１００の機能は、以下のように記載される。介護者は、通常、乳首要素１１０を取り付け要素１３０内に挿入すること、任意的に、次に、キャップ１８０を使用してこのアセンブリを覆うことによって、哺乳瓶装置１００を組み立てる。容器要素１２０はミルクで満たされ、次に、取り付け要素１３０が容器要素１２０に、例えば、それをねじって締めることによって取り付けられる前に、仕切り要素２１０が容器容積１２５の開口に提供される。
【００６１】
哺乳瓶装置１００は、次に、上下逆さまにされ、すなわち、乳首要素１１０が垂直方向に下向きにされ、乳首容積１１５がミルクで満たされることを可能にする。第１通路２１２も第２通路２１４も開いて、乳首容積１１５がミルクで満たされ、乳首容積１１５内の存在する空気が、第２通路２１４を通って容器容積１２５内に抜かれることを可能にする。通路２１２の開口も２１４の開口も、容器容積１２５内のミルクのカラム（ｍｉｌｋ  ｃｏｌｕｍｎ）からの好ましい静水圧と組み合わされたその名目上の開口設計によるものである。
【００６２】
次に、哺乳瓶装置１００は授乳位置に変えられ、哺乳瓶装置１００は、水平軸に対して４５度未満に、好ましくはより垂直な乳児の授乳位置に向けられ、すなわち、哺乳瓶装置１００は、水平軸に対して約１０から３０度のみ向けられる。授乳位置では、第２の一方向通路２１４が上部に位置するように回転位置が選択されることが重要である。この目的に寄与するために、正しい回転の向きを示す回転型の向きの指標を提供することができ、これについては以下においてさらに詳細に記載される。
【００６３】
乳児が飲むに従い、乳首容積１１５内のミルクは空にされ、乳首容積１１５内により低い圧力をもたらし、これが、第２通路２１４を閉じるが、ミルクを容器容積１２５から第１通路２１２内に通す。第１通路２１２は、液体レベル表面の下に位置するため、第１通路２１２は、ミルクが流入することのみを可能にし、空気が流入することを可能にしない。上述のように、授乳中に、例えば乳児がラッチを解放した場合に、気泡が乳首の孔から乳首容積１１５に入る可能性がある。そのような状況では、その後の授乳中、気泡は第２通路２１４を通って容器容積１２５内に押し込まれる。
【００６４】
授乳を終えた後、哺乳瓶装置１１０が垂直に置かれ、乳首要素１１０が垂直方向に上に向けられると、乳首容積１１５に残ったいかなるミルクも、重力により第２通路２１４又は第１通路２１４のいずれかを通って、容器容積１２５内に滴ることになる。
【００６５】
図２Ａ及び２Ｂは、仕切り要素２１０についての２つの例証的な斜視図を示している。第１通路２１２及び第２通路２１４に加えて、この例における仕切り要素２１０は、向きインジケータ２１６を含む。向きインジケータ２１６は、次に、哺乳瓶装置１００が組み立てられるとき、容器要素１２０の壁に隣接して位置することができ、その結果、仕切り要素２１０の回転方向を示し、これは、外側から見える。第２通路２１４は、この例では、第１通路２１２よりも向きインジケータ２１６に近く、従って、おそらく、授乳の間中ずっと液体レベルよりも上にある。好ましくは、向きインジケータ２１６は、授乳に使用される場合、哺乳瓶装置の上方に配置されるように意図されており、他の意図された位置及び／又はさらなる向きインジケータも、他の例において提供することができる。好ましくは、向きインジケータは、ミルクに対して良好なコントラストを示す色を提示する。
【００６６】
第１通路２１２は、一般的に、第２通路２１４よりも大きいけれども、本発明は、これに限定されない。さらに、第１通路２１２は、この例では、仕切り要素２１０から乳首容積１１５側に向かって突出し、第２通路２１４は、仕切り要素２１０から容器容積１２５側に向かって突出しているが、本発明はまたこれにも限定されない。
【００６７】
図３は、図１においても例示されている組み立てられた状態の哺乳瓶装置１００を断面図で概略的且つ例証的に示しており、他の例においては、さらなる特徴を図１及び図２の例に統合させることもできる。
【００６８】
乳首要素１１０、容器要素１２０、及び取り付け要素１３０の間の取り付け領域において、哺乳瓶装置１００の外側からの空気が容器容積１２５に入るのを可能にする空気抜き弁１４０が提供されている。その結果、ミルクを与えるために乳児が乳を飲んでいる間に乳首容積１１５において存在する真空状態を減らすことができ、乳首要素１１０を通って空気が入る必要がなくなる。乳首要素１１０を通って空気が入ると、乳首容積１１５内に空気が存在し、最終的に乳児の口に入るリスクが高くなる。様々な形態の空気抜き弁１４０が当技術分野において既知であり、例えば、乳首要素１１０、容器要素１２０、取り付け要素１３０、仕切り要素２１０、又はこれらの要素のうちいずれかの界面に統合させることができる。
【００６９】
空気は空気抜き弁１４０を通って入り、容器容積１２５に入る前に、環状の誘導ダクト１７５に集められる。環状の誘導ダクト１７５は、空気抜き弁１４０の角度位置とは関係なく空気を収集し、空気を閉鎖容積１５５に向けて誘導する。閉鎖容積１５５に隣接して又はその一部として、容器容積１２５内に空気を放出するための制御された開口部１６５が提供される。この目的のために、ダクト形成要素１７０は、容器容積１２５の開口の周りに環状に延び、ダクト形成要素１７０、容器要素１２０及び／又は乳首要素１１０の間に環状の誘導ダクト１７５を画定する。
【００７０】
図３の環状の誘導ダクト１７５の例証的な形状は、当然ながら、唯一実現可能な形状というわけではなく、環状の誘導ダクト１７５の他の形状が、他の例において熟考される。環状の誘導ダクト１７５は、空気抜き弁１４０を通って入る空気を接続し、この空気を閉鎖容積１５５まで誘導する能力を有するということだけが重要である。誘導ダクト１７５は、例えば、空気抜き弁１４０の角度位置がよく知られている場合には、必ずしも容器容積１２５の開口の周りに環状の形態で提供される必要はなく、「適合しなければならない（ｍｕｓｔ  ｆｉｔ）」レイアウトにおいて等、誘導ダクト１７５は、常に空気抜き弁１４０の同じ既定の位置で空気を収集するということにさらに留意されたい。
【００７１】
この例では、閉鎖容積１５５は、容器要素１２０の壁に隣接して提供された閉鎖容積形成要素１５０によって画定されている。その結果、閉鎖容積１５５は、閉鎖容積形成要素１５０及び容器要素１２０によって制限される。他の例では、閉鎖容積１５５は、閉鎖容積形成要素１５０のみによって画定することもできる。
【００７２】
環状の誘導ダクト１７５と閉鎖容積１５５との間には、容器容積１２５から空気抜き弁１４０に向かう液体の通過を防止する任意の通過防止要素２００が提供されている。その結果、哺乳瓶装置１００の漏れを防止することができる。一般的に、液体が空気抜き弁１４０に達する場合、気泡の形成が増加する。従って、空気抜き弁１４０の近くにいかなる液体も有さないことが有利である。一例では、一方向弁を通過防止要素２００として提供することができ、これは、従って、哺乳瓶装置１００の典型的な使用の下で液体が空気抜き弁１４０及び環状の誘導ダクト１７５に達するのを防止する。しかし、容器容積１２５から空気抜き弁１４０への液体の通過を防止するための他の適した構成も、代替案において利用することができる。
【００７３】
例えば、別の通過防止要素２００が、図４を参照して例示されている。図４は、通過防止要素２００としてリザーバのそり２０２を概略的且つ例証的に例示している。リザーバのそり２０２は、閉鎖容積１５５におけるいかなる存在する液体も捕捉し、それが空気抜き弁１４０に達するのを防止するのに十分に大きな容積を形成する。哺乳瓶装置１００が、乳首要素１１０が垂直方向で上方を向いている静止位置にあるとき、リザーバのそり２０２によって形成されるリザーバの容積は、閉鎖容積１５５内の予想される液体の容積よりも大きいことが好ましい。
【００７４】
図３の例に戻ると、閉鎖容積形成要素１５０及びダクト形成要素１７０は、乳首容積１１５から容器容積１２５を分離するための仕切り要素２１０に統合されている。閉鎖容積形成要素１５０は、例えば、図２において例示されているように、向きインジケータ２１６に相当し得る。仕切り要素２１０は、容器要素１２０の開口と乳首要素１１０との間に適合し、２つの界面をもたらし、２つの要素のそれぞれに１つもたらす。好ましくは、追加の部品である仕切り要素２１０が取り付け領域に存在するけれども、この仕切り要素は、乳首要素１１０に向かって硬質の界面を提供し、容器要素１２０に向かって軟質の界面を提供して漏れの問題を克服している。さらに、取り付け要素１３０のアセンブリのねじり強度は、特に、スクリューリングとして形成される場合、影響を受けない。この理由から、仕切り要素２１０は、例えば、２Ｋ射出成形プロセスを使用して製造されてもよい。他の例では、仕切り要素２１０は、乳首要素１１０、仕切り要素２１０、及び容器要素のそれぞれの間の硬質軟質界面を確実にする、仕切り要素に取り付けられるシーリング材を含んでもよい。
【００７５】
仕切り要素２１０の別の例が、図５においてさらに詳細に概略的に示されており、これは、通過防止要素２００を通って閉鎖容積形成要素１５０に開口する、特定の環状のダクト形成要素１７０を例示している。図５の例では、第１経路２１２及び第２経路２１４は、互いに平行なヒンジ軸をそれぞれ有する反対方向に向けられたフラップ弁として形成されている。
【００７６】
仕切り要素２１０の別の例が、図６Ａ及び６Ｂにおいて概略的に示されている。図６Ａは、仕切り要素２１０を分離して例示しているけれども、図６Ｂは、哺乳瓶装置１００の組み立てられた状態の仕切り要素２１０を例示している。
【００７７】
この例では、第１通路２１２は、仕切り要素２１０において例証的な細長い楕円形を有する開口として形成されている。第２通路２１４は、乳首容積１１５から容器容積１２５への流体、特に空気の通過を可能にするが、反対方向への流体の通過を遮断するダックビル弁を含む。開口の形状は、当然ながら、所望通りであり得る。
【００７８】
さらに、仕切り要素２１０は、組み立てられた状態で容器要素１２０との界面にてシーリング材２１７を含む。シーリング材２１７は、仕切り要素２１０と一体的に形成することができるか、又は、後の段階で仕切り要素に取り付けることができ、好ましくは、哺乳瓶装置１００の組み立て後、容器要素１２０と仕切り要素２１０との間に密封が形成されることになるように軟質材料を含む。同様に、乳首要素１１０との界面は、好ましくは、乳首要素１１０と仕切り要素２１０との界面も漏れないように、より硬い材料を含む。
【００７９】
例証的な先細の形状を有する誘導要素２１８は、容器要素への仕切り要素２１０の組み立てを容易にし、閉鎖容積形成要素１５０又は向きインジケータ２１６からのバネ力に対する抵抗を提供する。閉鎖容積形成要素１５０又は向きインジケータ２１６は、例えば可撓性シリコーンを含み、これは、容器要素１２０の壁を圧迫している。
【００８０】
図６Ｂにおいて、閉鎖容積形成要素１５０又は向きインジケータ２１６と容器要素１２０の壁との間に画定された閉鎖容積１５５が明確に見えている。制御された開口部１６５は、閉鎖容積１５５のうち、乳首要素１１０から最大距離を有する部分にて形成されている。
【００８１】
開示された実施形態に対する他の変化は、請求された発明を実行する際に、図面、明細書、及び付随の特許請求の範囲の調査から当業者により理解する及びもたらすことができる。
【００８２】
特許請求の範囲において、「含む」という用語は、他の要素又はステップを除外せず、不定冠詞はその複数形を除外しない。
【００８３】
単一のユニット、要素、又は装置は、特許請求の範囲において列挙されたいくつかの項目の機能を満たすことができる。特定の手段が互いに異なる従属項において記載されているという単なる事実は、これらの手段の組合せを役立つよう使用することができないと示しているわけではない。
【図１】
2020508800.tif 000003
【図２Ａ】
2020508800.tif 000004
【図２Ｂ】
2020508800.tif 000005
【図３】
2020508800.tif 000006
【図４】
2020508800.tif 000007
【図５】
2020508800.tif 000008
【図６Ａ】
2020508800.tif 000009
【図６Ｂ】
2020508800.tif 000010
【手続補正書】
【提出日】令和1年9月10日(2019.9.10)
【手続補正１】
【補正対象書類名】特許請求の範囲
【補正対象項目名】全文
【補正方法】変更
【補正の内容】
【特許請求の範囲】
【請求項１】
哺乳瓶装置用の仕切り要素であって、前記哺乳瓶装置は、乳首容積を画定する乳首要素と、容器容積を画定する容器要素とを含み、前記乳首要素は、取り付け要素によって前記容器要素に取り付け可能であり、前記仕切り要素は、前記哺乳瓶装置が組み立てられている場合に、前記乳首容積を前記容器容積から分離するように構成され、前記仕切り要素は、前記容器容積から前記乳首容積への流体の通過を可能にする第１通路と、前記乳首容積から前記容器容積への流体の通過を可能にする第２通路とを含み、前記第２通路は、一方向通路の形態で提供され、前記第１通路及び前記第２通路は、前記仕切り要素に統合され、前記仕切り要素は、前記仕切り要素を前記容器要素の開口に誘導するための誘導要素をさらに含む、仕切り要素。
【請求項２】
前記哺乳瓶装置が組み立てられた場合に視覚的に目立つように構成される向きインジケータをさらに含む、請求項１に記載の仕切り要素。
【請求項３】
前記第１通路及び前記第２通路は、それぞれ前記向きインジケータから異なる距離にて配置されている、請求項２に記載の仕切り要素。
【請求項４】
前記第２通路は、前記第１通路よりも前記向きインジケータの近くに配置されている、請求項３に記載の仕切り要素。
【請求項５】
前記第１通路及び前記第２通路のうち少なくとも１つが、１０ｍｂａｒ以下の開放圧力を示す弁を含む、請求項１に記載の仕切り要素。
【請求項６】
前記第１通路及び前記第２通路のうち少なくとも１つが、フラップ弁又はダックビル弁を含む、請求項１に記載の仕切り要素。
【請求項７】
前記第１通路は、開口部として形成されている、請求項１に記載の仕切り要素。
【請求項８】
前記第１通路は、楕円形状を有する開口部として形成されている、請求項７に記載の仕切り要素。
【請求項９】
前記仕切り要素と、前記乳首要素及び前記容器要素の少なくとも１つとの間にシーリング界面を形成するためのシーリング材をさらに含む、請求項１に記載の仕切り要素。
【請求項１０】
−  乳首容積を画定する乳首要素と、
−  容器容積を画定する容器要素と、
−  請求項１乃至９のいずれか一項に記載の仕切り要素と、
−  取り付け要素と、
を含む哺乳瓶装置であって、前記乳首要素、前記容器要素、及び前記仕切り要素は、前記取り付け要素によって接触領域に沿って互いに取り付け可能である、哺乳瓶装置。
【請求項１１】
前記哺乳瓶装置の外側から前記乳首容積又は前記容器容積内への空気の通過を可能にする少なくとも１つの空気抜き弁と、前記容器容積内の閉鎖容積を画定する閉鎖容積形成要素であり、前記閉鎖容積は、制御された開口部を前記容器容積内に提供する、閉鎖容積形成要素と、前記少なくとも１つの空気抜き弁から前記閉鎖容積までの誘導ダクトを形成するダクト形成要素とをさらに含む、請求項１０に記載の哺乳瓶装置。
【請求項１２】
前記閉鎖容積形成要素及び前記ダクト形成要素は、前記哺乳瓶装置が組み立てられている場合に、前記乳首容積を前記容器容積から分割するための前記仕切り要素に統合されている、請求項１１に記載の哺乳瓶装置。
【国際調査報告】
2020508800.tif 000011
2020508800.tif 000012
2020508800.tif 000013